(57)【要約】【課題】本発明は、負荷制御システム、端末器および端末器の制御方法に関し、動作の遅れを改善できる負荷制御システム、端末器、端末器の制御方法を得ることを目的とする。【解決手段】本発明に係る負荷制御システムは、制御信号を送信する制御装置と、該制御信号に応じて負荷を制御する複数の端末器と、を備え、該複数の端末器は、異なる機器指定情報をそれぞれ記憶し、該制御信号を受信すると、該機器指定情報に応じた順番で該負荷と電源との接続状態を変更する。【選択図】図１
2019193223.tif 000002
【特許請求の範囲】
【請求項１】
制御信号を送信する制御装置と、
前記制御信号に応じて負荷を制御する複数の端末器と、
を備え、
前記複数の端末器は、異なる機器指定情報をそれぞれ記憶し、前記制御信号を受信すると、前記機器指定情報に応じた順番で前記負荷と電源との接続状態を変更することを特徴とする負荷制御システム。
【請求項２】
前記複数の端末器の各々は、前記制御信号を受信した後、自己の機器指定情報に応じた待機時間の経過後に前記負荷と前記電源との接続状態を変更することを特徴とする請求項１に記載の負荷制御システム。
【請求項３】
前記機器指定情報は、前記複数の端末器が前記負荷と前記電源との接続状態を変更する順番を示す連続する値であることを特徴とする請求項２に記載の負荷制御システム。
【請求項４】
前記複数の端末器の各々の前記待機時間は、前記端末器の機器指定情報よりも１小さい値に予め定められたパルス待ち時間を乗じた時間であることを特徴とする請求項３に記載の負荷制御システム。
【請求項５】
前記複数の端末器の各々は、前記制御信号を受信した後、前記待機時間の経過後に前記負荷と前記電源との接続状態を変更するパルスを出力することを特徴とする請求項２から４の何れか１項に記載の負荷制御システム。
【請求項６】
前記パルスのパルス幅は、１つの端末器がパルスを出力してから次の端末器がパルスを出力するまでの時間であるパルス待ち時間よりも短いことを特徴とする請求項５に記載の負荷制御システム。
【請求項７】
前記複数の端末器の各々は、１つの端末器がパルスを出力してから次の端末器がパルスを出力するまでの時間であるパルス待ち時間の間に前記パルスを１回だけ出力することを特徴とする請求項５または６に記載の負荷制御システム。
【請求項８】
前記パルスは、第１パルスと第２パルスを含み、
前記複数の端末器の各々は、前記第１パルスで負荷を駆動させた後に、前記第２パルスで別の負荷を駆動させることを特徴とする請求項５または６の何れか１項に記載の負荷制御システム。
【請求項９】
前記パルスのパルス幅と、１つの端末器がパルスを出力してから次の端末器がパルスを出力するまでの時間であるパルス待ち時間は、前記制御装置から設定されることを特徴とする請求項５から８の何れか１項に記載の負荷制御システム。
【請求項１０】
前記複数の端末器の各々は、前記制御信号に応じて前記パルスを出力する制御端末と、前記パルスに応じて前記負荷と前記電源との接続状態を変更するリレーと、を備えることを特徴とする請求項５から９の何れか１項に記載の負荷制御システム。
【請求項１１】
前記複数の端末器の各々は、前記制御端末と前記リレーとが一体化されたリレー内蔵端末器であることを特徴とする請求項１０に記載の負荷制御システム。
【請求項１２】
前記複数の端末器の各々は、第１の制御信号に応じた前記待機時間または前記パルスの出力中に第２の制御信号を受信すると、前記第１の制御信号に応じた処理を中断し、前記第２の制御信号に応じて前記負荷を制御することを特徴とする請求項５から１１の何れか１項に記載の負荷制御システム。
【請求項１３】
前記複数の端末器の各々は、一括して制御されるグループであることを示すグループ番号を記憶し、
前記制御信号は、制御対象であるグループ番号を含み、
前記複数の端末器の各々は、前記制御対象であるグループ番号と、記憶した前記グループ番号とが一致すると、前記制御信号を受信した後、前記待機時間の経過後に前記負荷と前記電源との接続状態を変更することを特徴とする請求項２から１２の何れか１項に記載の負荷制御システム。
【請求項１４】
前記機器指定情報は、前記複数の端末器のアドレスであることを特徴とする請求項１または２に記載の負荷制御システム。
【請求項１５】
前記負荷は照明器具であることを特徴とする請求項１から１４の何れか１項に記載の負荷制御システム。
【請求項１６】
機器指定情報を記憶し、外部からの制御信号を受信した後、前記機器指定情報に応じた待機時間の経過後に、前記制御信号に応じて負荷と電源との接続状態を変更することを特徴とする端末器。
【請求項１７】
機器指定情報を記憶することと、
前記機器指定情報に応じた待機時間を計算することと、
外部からの制御信号を受信した後、前記待機時間の経過後に前記制御信号に応じて負荷と電源との接続状態を変更することと、
を備えることを特徴とする端末器の制御方法。
【発明の詳細な説明】
【技術分野】
【０００１】
本発明は、負荷制御システム、端末器および端末器の制御方法に関する。
【背景技術】
【０００２】
特許文献１には、制御端末器に複数台のラッチングリレーが接続された負荷制御システムが開示されている。制御装置から送信された伝送信号に基づいて、制御端末器は対応するラッチングリレーをオンオフさせる。この負荷制御システムでは、制御装置から複数の負荷を全て動作させる伝送信号が入力されると、複数の負荷を順番に駆動する。このため、同時に複数の負荷が駆動されることがなく、複数の負荷を駆動させる電源の電源容量を小さくできる。
【先行技術文献】
【特許文献】
【０００３】
【特許文献１】特開２００１−２２４０７７号公報
【発明の概要】
【発明が解決しようとする課題】
【０００４】
特許文献１に記載された負荷制御方法には、複数の負荷を順番に駆動する具体的な方法について記載されていない。例えば、制御装置から複数のリレーに順番に負荷駆動指令を送信する場合、通信遅れが数百ミリ秒ずつ蓄積していく可能性がある。このため、動作が遅く負荷が全て動作するまで時間がかかるおそれがある。
【０００５】
本発明は、上述の課題を解決するためになされたもので、動作の遅れを改善できる負荷制御システム、端末器、端末器の制御方法を得ることを目的とする。
【課題を解決するための手段】
【０００６】
本発明に係る負荷制御システムは、制御信号を送信する制御装置と、該制御信号に応じて負荷を制御する複数の端末器と、を備え、該複数の端末器は、異なる機器指定情報をそれぞれ記憶し、該制御信号を受信すると、該機器指定情報に応じた順番で該負荷と電源との接続状態を変更する。
【０００７】
本発明に係る端末器は、機器指定情報を記憶し、外部からの制御信号を受信した後、該機器指定情報に応じた待機時間の経過後に、該制御信号に応じて負荷と電源との接続状態を変更する。
【０００８】
本発明に係る端末器の制御方法は、機器指定情報を記憶することと、該機器指定情報に応じた待機時間を計算することと、外部からの制御信号を受信した後、該待機時間の経過後に該制御信号に応じて負荷と電源との接続状態を変更することと、を備える。
【発明の効果】
【０００９】
本発明に係る負荷制御システムでは、複数の端末器は機器指定情報に応じて順番に負荷と電源との接続状態を変更する。このため、各々の端末器が制御装置と通信することなく、複数の端末器は順番に負荷を制御できる。従って、動作の遅れを改善できる。
本発明に係る端末器および端末器の制御方法では、端末器は制御信号を受信した後、機器指定情報に応じた待機時間の経過後に、制御信号に応じて負荷と電源との接続状態を変更する。このため、各々の端末器が制御装置と通信することなく、複数の端末器は順番に負荷を制御できる。従って、動作の遅れを改善できる。
【図面の簡単な説明】
【００１０】
【図１】実施の形態１に係る負荷制御システムのブロック図である。
【図２】実施の形態１に係る負荷制御システムの通信シーケンスを説明する図である。
【図３】実施の形態１に係るパルス待ち時間とパルス幅を説明する図である。
【図４】第１の比較例に係る通信シーケンスを説明する図である。
【図５】第２の比較例に係る通信シーケンスを説明する図である。
【図６】実施の形態１の変形例に係る通信シーケンスを説明する図である。
【図７】実施の形態２に係る負荷制御システムのブロック図である。
【図８】実施の形態２に係るパルス待ち時間とパルス幅を説明する図である。
【発明を実施するための形態】
【００１１】
本発明の実施の形態に係る負荷制御システム、端末器、端末器の制御方法について図面を参照して説明する。同じ又は対応する構成要素には同じ符号を付し、説明の繰り返しを省略する場合がある。
【００１２】
実施の形態１．
図１は、実施の形態１に係る負荷制御システム５０のブロック図である。負荷制御システム５０は統合操作器１、制御装置２、複数の制御端末６−１〜６−４および複数のリモコンリレーＲＲＹ１−１〜４−４を備える。
【００１３】
統合操作器１はパソコン等で構成される。統合操作器１は、例えば守衛室等の管理室に設置される。統合操作器１と制御装置２は有線または無線の通信網であるイーサネット（登録商標）等のＬＡＮ（Ｌｏｃａｌ  Ａｒｅａ  Ｎｅｔｗｏｒｋ）１０で接続される。これに限らず統合操作器１と制御装置２はネットワークで接続されていれば良い。統合操作器１は、ＬＡＮ１０を介して制御装置２に蓄積されている制御機器の状態を受信し、制御機器の状態を画面等に表示して操作者に通知する。統合操作器１はまた、操作者からの操作に応じて、ＬＡＮ１０を介して制御装置２に設定信号または操作信号を送信する。
【００１４】
制御装置２は、伝送処理装置または照明コントローラとも呼ばれる。制御装置２は、ＬＡＮ１０を介して統合操作器１からの設定信号及び操作信号を受信する。制御装置２は、図示しない壁スイッチ等からの操作信号または図示しないセンサからの情報信号を受信し、内部演算処理を行った後、複数の制御端末６−１〜６−４に制御信号を送信する。
【００１５】
制御端末６−１〜６−４はリレーを制御するリレー制御端末器である。制御装置２と制御端末６−１〜６−４の通信側は一対の通信線５で接続される。通信線５には、図示しない壁スイッチ及び図示しない照度センサまたは人感センサ等のセンサも接続される。制御装置２と制御端末６−１〜６−４は一対の通信線５にて双極性の時分割多重信号で通信している。この信号は、例えば±２４Ｖの信号である。制御装置２は、通信線５を介して制御端末６−１〜６−４に制御信号を送信する。また、制御端末６−１〜６−４は通信線５の通信信号を全波整流し安定化させることによって、内部回路の動作用の電源を得る。
【００１６】
制御端末６−１〜６−４の制御側には共通端子が設けられる。共通端子は、リモコントランス３の出力の一端と接続される。リモコントランス３は、リモコンリレーＲＲＹ１−１〜４−４を動作させる電源を供給する。この電源は例えばＡＣ２４Ｖである。
【００１７】
また、制御端末６−１〜６−４の各々は４本の制御線を有する。制御線はそれぞれ、リモコンリレーＲＲＹ１−１〜４−４の入力側の一端と接続される。制御端末６−１の制御線は、リモコンリレーＲＲＹ１−１〜１−４と接続される。制御端末６−２の制御線は、リモコンリレーＲＲＹ２−１〜２−４と接続される。制御端末６−３の制御線は、リモコンリレーＲＲＹ３−１〜３−４と接続される。制御端末６−４の制御線は、リモコンリレーＲＲＹ４−１〜４−４と接続される。
【００１８】
リモコンリレーＲＲＹ１−１〜１−４の入力側の他端は、リモコントランス３の出力の他端と接続される。リモコンリレーＲＲＹ１−１〜４−４の負荷側には、外部電源ＡＣを経由して負荷４が接続される。負荷４は例えば照明器具である。外部電源ＡＣは交流電源に限らず直流電源であっても良い。リモコンリレーＲＲＹ１−１〜４−４のＯＮ、ＯＦＦによって外部電源ＡＣに接続された負荷４が制御される。なお、図１において一部の負荷４は省略されている。
【００１９】
制御端末６−１〜６−４とリモコンリレーＲＲＹ１−１〜４−４は複数の端末器を構成する。制御端末６−１〜６−４は制御信号に応じてパルスを出力する。リモコンリレーＲＲＹ１−１〜４−４は、パルスに応じて負荷４と外部電源ＡＣとの接続状態を変更する。このように、複数の制御端末６−１〜６−４は制御信号に応じて負荷４を制御する。
【００２０】
図２は、実施の形態１に係る負荷制御システム５０の通信シーケンスを説明する図である。図２において、ＬＣ１は制御装置２を示す。また、ＴＵ１〜ＴＵ４はそれぞれ制御端末６−１〜６−４を示す。まず、図２の通信ａに示される複数の負荷４の一括制御を行うためのグループ情報の登録手順を説明する。本実施の形態では、制御端末６−１〜６−４が一括して制御されるグループ１に登録される場合を説明する。ここで、グループ１のグループ番号をＧ１とする。
【００２１】
制御端末６−１〜６−４の各々は自身のアドレスを記憶している。図２の端末器情報登録に示されるように、負荷制御システム５０の電源ＯＮ時、制御端末６−１〜６−４は自身のアドレスを制御装置２に送信する。制御端末６−１〜６−４のアドレスを受信した制御装置２は、制御装置２の内部記憶装置にアドレスを記憶する。また、制御装置２は、統合操作器１に制御端末６−１〜６−４のアドレス一覧を送信する。
【００２２】
次に、図２のグループ情報登録の信号に示されるように、統合操作器１の操作者は、制御装置２から送られてきた制御端末６−１〜６−４のアドレス一覧から一括制御したいアドレスを適宜選択し、制御装置２に送信する。
【００２３】
一括制御したい制御端末６−１〜６−４のアドレスを統合操作器１から受信した制御装置２は、制御端末６−１〜６−４の各々のアドレス宛に一括制御対象であることを送信する。つまり、制御装置２は、グループ１に属する制御端末６−１〜６−４にグループ番号であるＧ１を送信する。
【００２４】
また、制御装置２は、グループ１に属する制御端末６−１〜６−４に機器指定情報を送信する。機器指定情報は、制御端末６−１〜６−４の各々が制御信号に応じてグループ１の中で何番目に動作するかを示す情報である。本実施の形態において機器指定情報は、複数の制御端末６−１〜６−４が負荷４と外部電源ＡＣとの接続状態を変更する順番を示す連続する値である。
【００２５】
本実施の形態では、グループ情報登録において、制御端末６−１にはグループ番号Ｇ１と機器指定情報１が送信される。制御端末６−２にはグループ番号Ｇ１と機器指定情報２が送信される。制御端末６−３にはグループ番号Ｇ１と機器指定情報３が送信される。制御端末６−４にはグループ番号Ｇ１と機器指定情報４が送信される。グループ１に属する制御端末６−１〜６−４は、グループ番号と機器指定情報を受信し、内部記憶装置に記憶する。
【００２６】
次に、通信ｂに示される負荷制御システム５０の一括制御する動作について説明する。まず、統合操作器１から制御信号としてグループ制御指令が制御装置２に送信される。グループ制御指令はグループを一括操作する信号である。
【００２７】
制御装置２は、グループ制御指令をブロードキャストで通信線５を介して制御端末６−１〜６−４に送信する。ここで、ブロードキャストとは、通信コマンドの送信先アドレス領域に機器アドレスを指定せず、グループ番号を指定する通信をいう。ここでは、グループ制御指令の送信先アドレスにＧ１が設定される。つまり、グループ制御指令は制御対象であるグループ番号を含む。また、グループ制御指令は、データ領域に負荷４をＯＮさせる指令を含むものとする。
【００２８】
制御端末６−１〜６−４の各々は、通信線５を介して受信した制御対象であるグループ番号と、記憶したグループ番号とが一致すると、共通端子とリモコンリレーへの制御線を一定期間導通させる。つまり、制御端末６−１〜６−４の各々は、負荷４と外部電源ＡＣとの接続状態を変更するパルスを出力する。
【００２９】
上述したように、制御端末６−１〜６−４が共通端子と制御線をＯＮ側に導通させた場合、対応するリモコンリレーの入力側接点に一定方向でＡＣ２４Ｖが一定期間供給される。リモコンリレーＲＲＹ１−１〜４−４は、入力側接点に一定方向でＡＣ２４Ｖが一定期間供給されると、出力側の２つの端子間を導通させる。リモコンリレーＲＲＹ１−１〜４−４の入力側接点に導通時と逆方向でＡＣ２４Ｖが一定期間供給されると、出力側の２つの端子間が離れる。このようにリモコンリレーＲＲＹ１−１〜４−４は１巻線ラッチングタイプのリレーとなっている。
【００３０】
以上から、グループ制御指令に応じて、負荷４に外部電源ＡＣから電力が供給される。または、グループ制御指令に応じて、負荷４への電力供給が遮断される。従って、制御端末６−１〜６−４は、負荷４と電源との接続状態を変更して、負荷４である照明器具等の動作を制御する。また、制御端末６−１〜６−４は、制御装置２から調光指令を受信し、接続された照明器具に調光信号を出力しても良い。
【００３１】
ここで、本実施の形態に係る制御端末６−１〜６−４の各々は、機器指定情報を受信すると、機器指定情報に応じた待機時間を計算する。表１を用いて、本実施の形態における機器指定情報と待機時間の関係を説明する。
【００３２】
【表１】
2019193223.tif 000003
【００３３】
本実施の形態では、図１において４台の制御端末６−１〜６−４が図示されているが、負荷制御システム５０の通信線５には最大で１２７台の制御端末が接続されているものとする。制御端末にはアドレスとして、それぞれ１〜１２７を割り当てる。そして、予め統合操作器１のグループ情報登録によって、アドレス１２、２７、５６、１２７がグループ１に設定された場合について説明する。
【００３４】
制御端末６−１のアドレスは１２であり、機器指定情報は１である。制御端末６−２のアドレスは２７であり、機器指定情報は２である。制御端末６−３のアドレスは１２であり、機器指定情報は３である。制御端末６−４のアドレスは１２７であり、機器指定情報は４である。
【００３５】
制御端末６−１〜６−４の各々の待機時間は、機器指定情報よりも１小さい値に予め定められたパルス待ち時間Ｔ１を乗じた時間である。ここで、パルス待ち時間は、１つの制御端末がパルスを出力してから次の制御端末がパルスを出力するまでの時間である。
【００３６】
制御端末６−１〜６−４の各々は、制御信号を受信した後、自己の機器指定情報に応じた待機時間の経過後に負荷４と外部電源ＡＣとの接続状態を変更するパルスを出力する。つまり、制御端末６−１〜６−４の各々は、制御信号を受信した後、機器指定情報で決まる待ち時間処理を行ってからリモコンリレーを駆動させる。
【００３７】
図３は、実施の形態１に係るパルス待ち時間Ｔ１とパルス幅Ｔ２を説明する図である。図３は、上からリモコンリレーＲＲＹ１−１〜１−４、リモコンリレーＲＲＹ２−１〜２−４、リモコンリレーＲＲＹ３−１〜３−４、リモコンリレーＲＲＹ４−１〜４−４に繋がる制御線の電圧波形を示す。制御端末６−１〜６−４の各々は、グループ制御指令で通知された制御対象であるグループ番号と、記憶したグループ番号とが一致すると、パルス待ち時間Ｔ１を機器指定情報より１小さい回数分待ってから、共通端子と制御線を一定期間導通させる。つまり、制御端末６−１〜６−４は順番に、対応するリモコンリレーにパルスを入力する。
【００３８】
ここで、リレー駆動パルスのパルス幅Ｔ２は、パルス待ち時間Ｔ１よりも短い。このため、制御端末６−１〜６−４が出力するパルスは重複しない。パルス待ち時間Ｔ１は、リモコンリレーＲＲＹ１−１〜４−４が導通または解放動作を完了するまでの時間に加えて、制御端末６−１〜６−４の動作タイミングばらつきを考慮して設定される。パルス待ち時間Ｔ１は制御端末６−１〜６−４の動作を制御するマイコンのクロックのバラつき等を考慮して、パルスが重複しないように設定されている。パルス待ち時間Ｔ１は、例えば数十ミリ秒である。
【００３９】
なお、パルス幅Ｔ２とパルス待ち時間Ｔ１は、制御端末６−１〜６−４の各々に予め定められた固定値であっても良く、後から変更可能であっても良い。パルス幅Ｔ２とパルス待ち時間Ｔ１は、統合操作器１または制御装置２から設定されても良い。
【００４０】
図４は、第１の比較例に係る通信シーケンスを説明する図である。第１の比較例では、グループ制御指令によって、制御端末６−１〜６−４がリモコンリレーＲＲＹ１−１〜４−４を一括して同時操作する。この場合、リモコンリレーＲＲＹ１−１〜４−４が一斉に動作し、リモコントランス３が供給可能な電流容量を超える可能性がある。このとき、リモコンリレーＲＲＹ１−１〜４−４が操作不可能になるおそれがある。
【００４１】
対策として、リモコンリレーＲＲＹ１−１〜４−４が一斉に動作できる電流容量となるように、制御端末６−１〜６−４とリモコンリレーＲＲＹ１−１〜４−４の入力側にリモコントランス３を増設することが考えられる。しかし、コストが増加し、設置場所の確保が困難となる可能性がある。
【００４２】
図５は、第２の比較例に係る通信シーケンスを説明する図である。第２の比較例では、制御装置２は統合操作器１からのグループ制御指令に応じて、制御端末６−１〜６−４に順番に制御信号を送信する。この場合、通信遅れが数百ミリ秒ずつ蓄積していく可能性がある。このため、動作が遅く、負荷が全て動作するまで長時間が掛かるおそれがある。また、１つの制御端末からのリレー駆動の完了の応答を待ち、その後に次の制御端末に制御信号を送る場合には、さらに動作が遅くなる可能性がある。
【００４３】
次に、本実施の形態の効果を説明する。本実施の形態では、制御端末６−１〜６−４が順番に負荷４を制御する。つまり、制御端末６−１〜６−４がグループ制御指令を受信しても、リモコンリレーＲＲＹ１−１〜４−４が一斉に動作しない。このため、リモコントランス３は一度に１つの制御端末に電力を供給できれば良い。従って、トランス容量を大きくすることによるコストアップおよび装置の大型化を防止できる。また、１台のリモコントランス３に多数の制御端末を接続できる。
【００４４】
また、制御端末６−１〜６−４の各々が機器指定情報を記憶することで、制御装置２がタイミングをずらして、制御端末６−１〜６−４の各々に制御信号を送信する必要がない。本実施の形態では、制御端末６−１〜６−４自身が負荷４を制御するタイミングを決める。従って、上位の機器との通信回数を抑制でき、動作の遅れを改善できる。
【００４５】
本実施の形態では、制御端末６−１〜６−４のうち順番が最後の制御端末６−４は、制御信号の受信からＴ１×３の遅れでパルス出力を開始する。パルス待ち時間Ｔ１は、例えば数十ミリ秒であるため、通信遅れが数百ミリ秒ずつ蓄積していく可能性がある第２の比較例よりも、動作の遅れを大きく改善できる。
【００４６】
また、制御端末６−１〜６−４自身が機器指定情報を参照して負荷４を制御するタイミングを決めるため、制御装置２はグループ番号をアドレスに指定してブロードキャストで制御信号を送信できる。このため、通信回数を低減できる。
【００４７】
本実施の形態の変形例として、制御端末６−１〜６−４の各々は、第１の制御信号に応じた待機時間またはパルスの出力中に第２の制御信号を受信すると、第１の制御信号に応じた処理を中断し、第２の制御信号に応じて負荷４を制御しても良い。制御端末６−１〜６−４は、パルス待ち時間Ｔ１またはパルス出力中に異なる制御信号を受信すると、新しい制御情報に基づき動作する。これにより、制御装置２等から入力される最新の操作から、負荷４への反映までの時間を低減できる。
【００４８】
また、本実施の形態の負荷制御システム５０が備える制御端末は複数であれば良い。また、１台の制御端末に接続されるリモコンリレーは１つ以上であれば良い。本実施の形態は、制御信号を送信する制御装置２と、制御信号に応じて負荷４を制御する複数の端末器を備えたあらゆるシステムに適用できる。
【００４９】
また、本実施の形態では、機器指定情報に応じて待機時間が決定される。これに限らず、機器指定情報に応じて制御端末６−１〜６−４が負荷４と電源との接続状態を変更する順番が決定されれば良い。例えば、制御端末６−１〜６−４の各々は、機器指定情報を参照し、１つ前の順番の制御端末がリレーを駆動させたことを確認してから、リレーを駆動させても良い。
【００５０】
また、機器指定情報は連続した番号に限らず、複数の制御端末６−１〜６−４が順番にパルスを出力できるように、別の制御端末と異なる値、言い換えるとそれぞれの制御端末に固有の値であれば良い。図６は、実施の形態１の変形例に係る通信シーケンスを説明する図である。図６に示される変形例において、機器指定情報は、制御端末６−１〜６−４のアドレスである。つまり、制御端末６−１〜６−４の各々は、自己のアドレスを参照し、待機時間を決定する。表２を用いて、本変形例における機器指定情報と待機時間の関係を説明する。
【００５１】
【表２】
2019193223.tif 000004
【００５２】
制御端末６−１〜６−４の各々の待機時間は、機器指定情報であるアドレスよりも１小さい値にパルス待ち時間Ｔ１を乗じた時間である。制御端末６−１〜６−４のうち順番が最後の制御端末６−４は、制御信号の受信からＴ１×１２６の遅れでパルス出力を開始する。パルス待ち時間Ｔ１は、例えば数十ミリ秒であるため、第２の比較例よりも負荷４の制御を早くできる。
【００５３】
しかし、制御端末６−１は１１台分、制御端末６−２は２６台分、制御端末６−３は５５台分、制御端末６−１は１２６台分だけ制御端末を操作した場合に相当する待機時間が発生する。つまり、グループ１の操作完了までに、制御端末を１２７台分順番に操作した場合に相当する時間が掛かる。グループ１には４台の制御端末６−１〜６−４のみが登録されている。このため、操作開始及び操作完了までに無駄な待ち時間が発生している。
【００５４】
本変形例では、実施の形態１と比較して操作開始及び操作完了までに時間が掛かる。しかし、グループ制御時に同時刻に制御している制御端末は１台となるため、リモコントランス３の容量は抑制できる。また、制御端末６−１〜６−４があらかじめ保持しているアドレスが機器指定情報となるため、後から機器指定情報を設定する必要がない。従って、本実施の形態よりも容易に、制御端末６−１〜６−４を順番に動作させることができる。
【００５５】
これに対し、本実施の形態ではグループに登録されたアドレス番号が連続していなくても、操作完了までに掛かる時間はグループに登録された制御端末の台数分となる。図６に示される変形例との比較で分かるように、本実施の形態では、機器指定情報を連続する番号とすることで、操作開始及び操作完了までに無駄な待ち時間が発生することを抑制できる。
【００５６】
これらの変形は以下の実施の形態に係る負荷制御システム、端末器、端末器の制御方法について適宜応用することができる。なお、以下の実施の形態に係る負荷制御システム、端末器、端末器の制御方法については実施の形態１との共通点が多いので、実施の形態１との相違点を中心に説明する。
【００５７】
実施の形態２．
図７は、実施の形態２に係る負荷制御システム２５０のブロック図である。本実施の形態では、複数の端末器１１−１〜１１−４の構成が実施の形態１と異なる。複数の端末器１１−１〜１１−４の各々は、制御端末とリレーとが一体化されたリレー内蔵端末器である。
【００５８】
端末器１１−１は内蔵リレーＩＲＹ１−１〜１−４を備える。端末器１１−２は内蔵リレーＩＲＹ２−１〜２−４を備える。端末器１１−３は内蔵リレーＩＲＹ３−１〜３−４を備える。端末器１１−４は内蔵リレーＩＲＹ４−１〜４−４を備える。内蔵リレーＩＲＹ１−１〜４−４は内蔵パワーリレーである。
【００５９】
実施の形態１ではリレー駆動用のパルスを制御端末６−１〜６−４が外部出力していた。本実施の形態では、パルスは端末器１１−１〜１１−４の内部で、内蔵リレーＩＲＹ１−１〜４−４に出力される。
【００６０】
また、実施の形態１ではリモコントランス３を用いてリモコンリレーＲＲＹ１−１〜４−４の操作電力を供給していた。これに対し本実施の形態では、内蔵リレーＩＲＹ１−１〜４−４に端末器１１−１〜１１−４の内部電源を用いて操作電力を供給する。これ以外については、本実施の形態は実施の形態１と同じである。よって、制御方法も基本的には同じになる。
【００６１】
但し、実施の形態１と本実施の形態とでは操作対象となるリレーの種類が違う。このため、本実施の形態におけるパルス待ち時間Ｔ１とパルス幅Ｔ２は、実施の形態１と違う値が最適値となる場合がある。また、実施の形態１では、リレー操作に端末器１１−１〜１１−４の内部電源を用いるため、実施の形態１よりもリレー操作時の電力供給に制約が発生し易い。
【００６２】
実施の形態１では１台の制御端末にリモコンリレーが４台接続される。言い換えれば、リモコントランス３は、一度に４台のリモコンリレーを操作できる電流容量を有する。対して、本実施の形態では、一度に４台の内蔵リレーＩＲＹ１−１〜４−４を同時操作すると、通信線５の電流容量を超える可能性がある。
【００６３】
図８は、実施の形態２に係るパルス待ち時間Ｔ１とパルス幅Ｔ２を説明する図である。本実施の形態では、パルス待ち時間Ｔ１の１サイクル中にパルスを２回出力する。パルス待ち時間Ｔ１の１サイクル中に出力されるパルスは、第１パルスと第２パルスを含む。１台の端末器において、第１パルスで２個の内蔵リレーを駆動し、第２パルスで残りの２個の内蔵リレーを駆動する。つまり、複数の端末器１１−１〜１１−４の各々は、第１パルスで負荷４を駆動させた後に、第２パルスで別の負荷４を駆動させる。
【００６４】
実施の形態１では、制御端末６−１〜６−４の各々は、パルス待ち時間Ｔ１の間にパルスを１回だけ出力した。これと比較して、本実施の形態では消費電流のピーク値を２分の１に減らすことができる。従って、消費電流が通信線５の電流容量を超えることを防止できる。
【００６５】
さらに消費電流のピーク値を抑えるために、パルス待ち時間Ｔ１の１サイクル中にパルスを３回以上出力しても良い。また、実施の形態１の負荷制御システム５０において、リモコントランス３の電流容量が足りない場合には、パルス待ち時間Ｔ１の１サイクル中にパルスを２回以上出力しても良い。
【００６６】
なお、各実施の形態で説明した技術的特徴は適宜に組み合わせて用いてもよい。
【符号の説明】
【００６７】
１  統合操作器、２  制御装置、３  リモコントランス、４  負荷、５  通信線、６−１〜６−４  制御端末、１０  イーサネット、１１−１〜１１−４  端末器、５０、２５０  負荷制御システム、ＲＲＹ１−１〜４−４  リモコンリレー、ＩＲＹ１−１〜４−４  内蔵リレー
【図１】
2019193223.tif 000005
【図２】
2019193223.tif 000006
【図３】
2019193223.tif 000007
【図４】
2019193223.tif 000008
【図５】
2019193223.tif 000009
【図６】
2019193223.tif 000010
【図７】
2019193223.tif 000011
【図８】
2019193223.tif 000012